(57)【要約】【課題】誘引されたシロアリを装置内に長期間留めおくことができ、大量のシロアリを捕獲して確実に駆除することができるシロアリ駆除装置を提供する。【解決手段】シロアリが接触を好むセルロースを含む屋根材２と、前記屋根材の下部周縁に間隔を空けて取り付けられ長手方向に沿う周面が鏡面仕上げされた複数の柱材３と、上部が開口し該開口７の内面７ａの周縁に前記各柱材３が設置されるシロアリ捕獲容器４と、を備え、前記シロアリ捕獲容器４は、前記開口７の内面７ａが水平な状態から傾斜していき、奥にいくにしたがって急傾斜になって底部に至り、該底部７ｃにシロアリを捕獲可能な網目状の第１トラップ１０が設けられたシロアリ捕獲室５と、該シロアリ捕獲室５の下部に設けられて前記第１トラップ１０の下に所定深さの空間部を確保し、底部に前記第１トラップ１０を通過したシロアリを捕獲可能な網目状の第２トラップ１１が設けられた空間室６と、から構成した。【選択図】図１
2009131191.tif 000002
【特許請求の範囲】
【請求項１】
シロアリが接触を好むセルロースを含む屋根材と、前記屋根材の下部周縁に間隔を空けて取り付けられ長手方向に沿う周面が鏡面仕上げされた複数の柱材と、上部が開口し該開口の内面の周縁に前記各柱材が設置されるシロアリ捕獲容器と、を備え、
前記シロアリ捕獲容器は、
前記開口の内面が水平な状態から傾斜していき、奥にいくにしたがって急傾斜になって底部に至り、該底部にシロアリを捕獲可能な網目状の第１トラップが設けられたシロアリ捕獲室と、
該シロアリ捕獲室の下部に設けられて前記第１トラップの下に所定深さの空間部を確保し、底部に前記第１トラップを通過したシロアリを捕獲可能な網目状の第２トラップが設けられた空間室と、
から構成されていることを特徴とするシロアリ駆除装置。
【請求項２】
前記屋根材は、前記柱材により前記シロアリ捕獲容器に装着されて、外側に飛び出した周縁が前記シロアリ捕獲容器の庇を形成している請求項１に記載のシロアリ駆除装置。
【請求項３】
前記シロアリ捕獲容器は、内面が鏡面仕上げに加工され、又は、樹脂で被覆されて滑り易く形成されている請求項１に記載のシロアリ駆除装置。
【発明の詳細な説明】
【技術分野】
【０００１】
本発明は、シロアリを誘引して捕獲し、駆除を行うシロアリ駆除装置に関するものである。
【背景技術】
【０００２】
従来、家屋等の木造構造物をシロアリの被害から保護するために、シロアリの存在する可能性のある領域、あるいは、シロアリの被害を予防することが必要な領域に殺虫剤を散布する方法が行われている。
【０００３】
しかし、巣の所在を特定せずに多量の殺虫剤を散布することは、生き残りのシロアリに薬剤耐性を与えるなどの問題があり、環境への影響等を考慮すると大量の殺虫剤を散布することは好ましくない。
【０００４】
そこで、容器内に誘引剤を設けてシロアリを容器内に集め、容器内にシロアリ駆除用の薬剤を散布すると、この薬剤を摂餌または接触したシロアリが駆除されると共に、このようなシロアリが帰巣後に死亡することで巣内に薬剤が散布され、営巣しているシロアリの群れ全体を駆除できる可能性がある。
【０００５】
例えば、特開平９−３１３０８４号公報に記載のシロアリの誘引装置は上面開口の容器にシロアリの餌木を収容し、前記容器の底部に排水管を連結し、この排水管にシロアリが通過可能な孔を形成してなる構成である。
【特許文献１】特開平９−３１３０８４号公報
【発明の開示】
【発明が解決しようとする課題】
【０００６】
しかしながら、上記した従来のシロアリの誘引装置は、容器内にシロアリ駆除用の薬剤を散布することが必要となるために、容器内にシロアリを長期間留める必要がある。その場合、死んだシロアリにカビが生えたりするとカビの生えたシロアリを忌避する習性によって、シロアリが容器に寄りつかなくなり、結果としてシロアリを装置内に長期間留めておくことができず、駆除効果を高めることができない。
【０００７】
本発明は、上記の問題点を解決するためになされたもので、誘引されたシロアリを装置内に長期間留めおくことができ、大量のシロアリを捕獲して確実に駆除することができるシロアリ駆除装置を提供することを目的とする。
【課題を解決するための手段】
【０００８】
前記課題を解決するために請求項１記載の発明は、シロアリが接触を好むセルロースを含む屋根材と、前記屋根材の下部周縁に間隔を空けて取り付けられ長手方向に沿う周面が鏡面仕上げされた複数の柱材と、上部が開口し該開口の内面の周縁に前記各柱材が設置されるシロアリ捕獲容器と、を備え、前記シロアリ捕獲容器は、前記開口の内面が水平な状態から傾斜していき、奥にいくにしたがって急傾斜になって底部に至り、該底部にシロアリを捕獲可能な網目状の第１トラップが設けられたシロアリ捕獲室と、該シロアリ捕獲室の下部に設けられて前記第１トラップの下に所定深さの空間部を確保し、底部に前記第１トラップを通過したシロアリを捕獲可能な網目状の第２トラップが設けられた空間室と、から構成されていることを特徴とするシロアリ駆除装置である。
【０００９】
また、請求項２記載の発明において、前記屋根材は、前記柱材により前記シロアリ捕獲容器に装着されて、外側に飛び出した周縁が前記シロアリ捕獲容器の庇を形成している請求項１に記載のシロアリ駆除装置である。
【００１０】
また、請求項３記載の発明において、前記シロアリ捕獲容器は、内面が鏡面仕上げに加工され、又は、樹脂で被覆されて滑り易く形成されている請求項１に記載のシロアリ駆除装置である。
【発明の効果】
【００１１】
本発明は、シロアリが接触を好むセルロースを含む屋根材を、周面が鏡面仕上げされた複数の柱材によりシロアリ捕獲容器の上部に設置したので、屋根材へ接触しようとして、シロアリ捕獲容器に集まってくる大量のシロアリを捕獲することができる。また、シロアリ捕獲容器に集まってきたシロアリは、網目状の第１トラップで捕獲され、第１トラップが通気されることで乾燥して死亡する。また、雨水がシロアリ収容穴に侵入しても、各トラップを介して室外へ水抜きされるので、シロアリ捕獲容器に収容されたシロアリが脱出することも防止され、確実にシロアリを駆除することができる。
【発明を実施するための最良の形態】
【００１２】
以下、実施例を示す図面に基づいて本発明を詳細に説明する。
【実施例１】
【００１３】
図１は本発明の実施例１を示す平面図、図２は、図１の一部欠截正面図、図３は図１の分解斜視図である。
【００１４】
図１〜図３において、シロアリ駆除装置１は、木製の屋根材２と、周面が鏡面仕上げされて屋根材２の下部周縁に間隔を空けて取り付けられ、屋根材２を支持する複数の柱材３と、複数の柱材３が上部に設置されるシロアリ捕獲容器４とから構成されている。
【００１５】
木製の屋根材２は、シロアリが接触を好むセルロースを含む木で略直方体（例えば、長さ１５ｃｍ、幅９ｃｍ、厚さ３ｃｍ）に形成されており、下部に縦辺に沿う中心線の位置に縦溝２ａが形成され、また、横辺に沿って平行に横溝２ｂ，２ｃが形成されている。各溝２ａ，２ｂ，２ｃには、長手方向に沿う周面が鏡面仕上げされたステンレス製の複数の柱材３（例えば、長さ３ｃｍ、幅１ｃｍ、厚さ１ｃｍ）が、各溝２ａ，２ｂ，２ｃに沿って設置位置を微調整可能に取り付けられている。柱材３は、丸棒状、角棒状、丸パイプ状、角パイプ状のいずれの形状でも良い。
【００１６】
屋根材２は、シロアリを誘引するために設けているので、シロアリの誘引性物質であるカンファー、リナロール、カジネン、テレピン油、ボルネオール、シンナミルアルコールなどを含有する溶液を含ませた誘引剤を含ませると効果的である。この屋根材２は、長期間経過すると、誘引効果が弱まるために適宜の期間経過後に、他の屋根材と交換すると良い。また、屋根材２は、木以外にもシロアリが食べるセルロースを含有する材料を用いて作ることができ、例えば、濾紙、和紙、再生紙等のパルプ含有紙を使用することができる。
【００１７】
柱材３は、屋根材２に誘引されたシロアリが滑って登れないようにして、屋根材２をシロアリに食べさせずに柱材３の下部に設置されるシロアリ捕獲容器４に誘導するために設けられるので、長手方向に沿う周面が滑りやすく加工できて、シロアリに食害されない素材であれば、ステンレス以外の他の金属や、樹脂で製造することができる。
【００１８】
シロアリ捕獲容器４は、柱材３により屋根材２が装着されている状態では、外側に飛び出した周縁がシロアリ捕獲容器４の庇２ａを形成しているので、日陰の状態で使用される。また、シロアリ捕獲容器４は、シロアリを捕獲するための大きな容積のシロアリ捕獲室５と、シロアリ捕獲室５より小さな容積の空間室６とから構成されている。なお、シロアリ捕獲容器４は、地中に埋設して使用されるが、家の周辺や縁の下の地面に直置きしてもよい。
【００１９】
シロアリ捕獲容器４は、日陰の状態で使用されるから耐候性を要求されないが地中において腐敗または腐食に耐え、かつシロアリに食害されず、また、柱材３の下部のシロアリが内面上を滑り落ちやすく表面を鏡面仕上げに加工できる材料が好ましい。
【００２０】
シロアリ捕獲容器４の材料としては、例えばポリエチレン、ポリプロピレン、ポリスチレン、ポリアセタール、ポリフェニレンオキサイド、ポリエチレンテレフタレート、ＡＢＳ樹脂等の樹脂材料；アルミニウム、鉄、ステンレススティール、ブリキ等の金属材料が使用できる。前記の樹脂や金属により製造されたシロアリ捕獲容器４は、表面を鏡面仕上げ加工する代りに、樹脂（例えば、ポリフッ化エチレン系繊維）で内面を被覆して、内面の摩擦抵抗を極端に減少させて滑り易くしても良い。このようにシロアリ捕獲容器４の内面を鏡面仕上げに加工したり、樹脂を被覆して滑り易くすれば、シロアリ等の昆虫類の登坂を妨げてシロアリ捕獲容器４からの逃避を防ぐことができる。
【００２１】
シロアリ捕獲容器４のシロアリ捕獲室５は、上部が開口し、開口７の内面７ａが水平な状態から傾斜していき、奥にいくにしたがって急傾斜になって底部に至るように形成されている。特に、シロアリ捕獲室５の上部は、壁９が外側に曲面状に張り出して、上部から所定の深さ（例えば５ｃｍ）まで軸方向の断面が円弧状になるように形成されて、フランジ部７ｂが形成されている。フランジ部７ｂの内面７ａは、シロアリ等の昆虫類が内部に滑り落ち易く形成されている。また、フランジ部７ｂの周縁に位置する開口７の内面７ａの周縁には、各柱材３の下部が設置される凹部８が適宜の間隔で複数（図１，３では６個）設けられている。
【００２２】
そして、シロアリ捕獲室５の底部７ｃには、通水可能であるとともにシロアリの通り抜けを阻止する網目状の第１トラップ１０が設けられている。第１トラップ１０は、底部７ｃに誘い込んだシロアリが通り抜けできない大きさの網目（例えば1ｍｍ2）が使用されている。
【００２３】
シロアリ捕獲室５の下部には、第１トラップ１０の下に所定深さ（例えば２ｃｍ）の空間部を確保する空間室６が設けられている。そして、空間室６の底部６ｃには、第１トラップ１０を通過したシロアリの通り抜けを阻止する網目状の第２トラップ１１が設けられている。
【００２４】
また、第２トラップ１１は、シロアリ捕獲容器４を地中に埋設したときに、地面に近接して配置され、降雨時にシロアリ捕獲容器４内に溜まる雨水を地中に排水させることができる。したがって、シロアリ捕獲容器４を地中に埋設する際に、空間室６が設置される地面に、空間室６の下部からの排水を一時的に貯留しておくドレイン溝を設けておくと良い。また、第２トラップ１１は、シロアリ捕獲室５の底部７ｃに誘い込んだシロアリが第１トラップ１０を通過してしまう場合を考慮して、シロアリが通り抜けできない大きさの網目（例えば1ｍｍ2）を使用する。
【００２５】
次に、シロアリ駆除装置１を地中に埋設した場合の使用例について説明する。シロアリ捕獲容器４は、地中に全体が埋設されて開口７の周縁の面が地面とほぼ同一面となるように設置する。シロアリは、屋根材２に接触しようとしてステンレス製の複数の柱材３を登ろうとする。シロアリは、柱材３が鏡面仕上げされているので登れず、各柱材３の下部に集まってきて、シロアリ捕獲室５のフランジ部７ｂの内面７ａ上を滑って、シロアリ捕獲室５内に滑り落ちて底部７ｃに誘導される。
【００２６】
シロアリ捕獲室５の底部７ｃには、シロアリを捕獲可能な網目状の第１トラップ１０が設けられているので、大部分のシロアリは、第１トラップ１０で捕獲される。そして、第１トラップ１０の下には、空間室６が設けられていて所定深さ（例えば２ｃｍ）の空間部が確保されているので、第１トラップ１０が通気されて大部分のシロアリは、乾燥し２、３日で死滅する。
【００２７】
また、シロアリ駆除装置１が設置されているときに雨になると、雨水がシロアリ捕獲容器４内に侵入する場合がある。その場合、雨水は各トラップ１０，１１を介して容器外へ水抜きされるので、シロアリ捕獲容器４に収容されたシロアリが脱出することは防止される。このように、シロアリ駆除装置１は、集まってきたシロアリをシロアリ捕獲容器４に大量に捕獲して確実に駆除することができる。
【図面の簡単な説明】
【００２８】
【図１】本発明の実施例１を示す平面図である。
【図２】図１の一部欠截正面図である。
【図３】図１の分解斜視図である。
【符号の説明】
【００２９】
１  シロアリ駆除装置
２  屋根材
２ａ，２ｂ，２ｃ  溝
３  柱材
４  シロアリ捕獲容器
５  シロアリ捕獲室
６  空間室
６ｃ，７ｃ  底部
７  開口
７ａ  内面
７ｂ  フランジ部
８  凹部
９  壁
１０  第１トラップ
１１  第２トラップ
【図１】
2009131191.tif 000003
【図２】
2009131191.tif 000004
【図３】
2009131191.tif 000005